(57)【要約】【課題】付着物を除去する対象物から、良好に付着物を除去すると共に、その対象物の双方向の搬送をなし得る付着物除去装置を提供すること。【解決手段】付着物を除去する対象物であるカードを双方向に搬送する駆動ローラ１及び従動ローラ２と、駆動ローラ１及び従動ローラ２の搬送方向に回転可能に配置された回転体７ａ、７ｂと、回転体７ａ、７ｂの周面に複数設けられ、カードの表面に圧接して、その表面に付着した付着物を除去する弾性板６と、を備え、回転体７ａ、７ｂが一方向クラッチ８により一方の方向にのみ回転可能するように構成した。【選択図】　図１
2004142848.tif 000002
【特許請求の範囲】
【請求項１】
付着物を除去する対象物を双方向に搬送する搬送手段と、
前記搬送手段の搬送方向に回転可能に設けられた回転体と、
前記回転体の周面に複数設けられ、前記対象物の表面に圧接して、該対象物の表面に付着した付着物を除去する弾性板と、を備え、
前記回転体が一方の方向にのみ回転可能するように支持されていることを特徴とする付着物除去装置。
【請求項２】
前記対象物がカードであり、
前記搬送手段は、前記カードを回収方向と排出方向との双方向に搬送し、
前記回転体は、前記カードの排出方向にのみ回転可能に支持されていることを特徴とする請求項１に記載の付着物除去装置。
【請求項３】
前記回転体が、一方向クラッチにより一方の方向にのみ回転可能するように支持されており、
複数の前記弾性板が前記回転体に放射状に設けられていることを特徴とする請求項１又は２に記載の付着物除去装置。
【請求項４】
複数の前記弾性板が設けられた前記回転体を２つ備え、
前記２つの回転体は、その一方が前記カードの上方に、他方が前記カードの下方に、それぞれ配置され、更に、相互に前記搬送手段の搬送方向に離隔して配置されていることを特徴とする請求項２又は３に記載の付着物除去装置。
【発明の詳細な説明】
【０００１】
【発明の属する技術分野】
本発明は、カード等に付着した水滴等の付着物を除去する付着物除去装置に関するものである。
【０００２】
【従来の技術】
駐車場の利用カード回収装置のように、屋外に設置されるカード回収装置においては、カードに水滴や塵等が付着している場合がある。このような水滴や塵等の付着物が装置内に侵入すると装置の故障を引き起こしかねないため、カードを回収する際にこのような付着物を除去することが必要とされる。
【０００３】
このようなカードに付着した付着物を除去する装置としては、例えば、特許文献１や特許文献２に記載の装置が提案されている。特許文献１には、塵等の除去のために繊維体を周面に設けたローラや、或いは、水滴を除去するために弾性発泡体を周面に設けたローラが開示されている。また、特許文献２には、粘着性を有する材料を周面に設けたローラが開示されている。
【０００４】
一方、特許文献１や２に記載の装置では、必ずしも強力な除去力を得られず、また、長期間の使用に対する耐久性もよくない。これに対して、例えば、図７に示すようにゴム板等の固定の弾性板をカードに押し当て、カードを進行させることでカード表面の付着物を除去することが考えられる。この方式であれば、カードに対する密着度が強く、付着物が掻きだされるため、十分な除去力を得ることができ、また、比較的耐久性も高い。
【０００５】
【特許文献１】
特開平６−３２５２２０号公報
【特許文献２】
特開２０００−３１３１５３号公報。
【０００６】
【発明が解決しようとする課題】
しかし、図７に示す装置では、カードが一方向に搬送される場合、例えば、専らカードの回収のみに用いる場合には有効であるが、回収したカードを排出して再利用する場合のように、カードを双方向に搬送する場合には、復路において弾性板がカードの搬送を妨げることとになり、採用できない。
【０００７】
そこで、本発明の目的は、付着物を除去する対象物から、良好に付着物を除去すると共に、その対象物の双方向の搬送をなし得る付着物除去装置を提供することにある。
【０００８】
【課題を解決するための手段】
本発明によれば、付着物を除去する対象物を双方向に搬送する搬送手段と、前記搬送手段の搬送方向に回転可能に設けられた回転体と、前記回転体の周面に複数設けられ、前記対象物の表面に圧接して、該対象物の表面に付着した付着物を除去する弾性板と、を備え、前記回転体が一方の方向にのみ回転可能するように支持されていることを特徴とする付着物除去装置が提供される。
【０００９】
本発明においては、前記対象物がカードであり、前記搬送手段は、前記カードを回収方向と排出方向との双方向に搬送し、前記回転体は、前記カードの排出方向にのみ回転可能に支持されているように構成してもよい。
【００１０】
また、本発明においては、前記回転体が、一方向クラッチにより一方の方向にのみ回転可能するように支持されており、複数の前記弾性板が前記回転体に放射状に設けられていてもよい。
【００１１】
また、本発明においては、複数の前記弾性板が設けられた前記回転体を２つ備え、
前記２つの回転体は、その一方が前記カードの上方に、他方が前記カードの下方に、それぞれ配置され、更に、相互に前記搬送手段の搬送方向に離隔して配置されるように構成してもよい。
【００１２】
【発明の実施の形態】
以下、本発明の好適な実施の形態について図面を参照して説明する。図１は、本発明の一実施形態に係る付着物除去装置Ａの構成図である。本実施形態においては、付着物を除去する対象物としてカードを例に取って説明するが、本発明はこれに限られず、他の対象物についても適用可能である。
【００１３】
付着物除去装置Ａは、図１の左端のカードの入出口から挿入されたカードを搬送する搬送手段として、１対のローラを２組備える。各ローラ対は、駆動ローラ１と、これに従動して回転する従動ローラ２と、からなり、駆動ローラ１と従動ローラ２とを圧接することで、カードを挟持搬送するニップ部を構成している。駆動ローラ１及び従動ローラ２は、それぞれ、その両端において支持板１０（図１において破線にて一方のみを概略的に示す。）により回転可能に軸支されている。
【００１４】
駆動ローラ１の駆動力は、モータ３からベルト３ａを介して伝達され、また、２つの駆動ローラ間はベルト１ａで駆動力が伝達されるようにしている。このモータ３を正転、逆転することで駆動ローラ１の回転方向を変えることができ、カードを入出口からスタッカ４へ搬送する回収方向と、スタッカ４内のカードを入出口へ搬送する排出方向と、でカードを双方向に搬送可能としている。
【００１５】
また、カードの搬送を案内するため、上下に２つの案内板５ａ、５ｂがカードの入出口からスタッカ４まで設けられ、搬送路を構成している。この案内板５ａ、５ｂには、上述した駆動ローラ１及び従動ローラ、更に、後述する弾性板６が搬送中のカードに接触できるように開口部５ｃを複数設けており、これらが案内板５ａ、５ｂの内部に突出している。更に、下方の案内板５ｂには、図２に示すように、後述する弾性板６により除去された水滴、塵等を搬送路内から排出するための複数の小孔５ｄが設けられている。
【００１６】
次に、付着物除去装置Ａは、上述したローラ対の搬送方向に回転可能に設けられた２つの回転体７ａ、７ｂを備え、いずれも以下の構成となっている。回転体７ａ、７ｂは、円筒状をなし、その軸線方向がカードの搬送方向に対して略直交しており、上述したローラ対の搬送方向に向けて回転可能となっている。図３は、回転体７ａ、７ｂの支持構造を示す断面図である。回転体７ａ、７ｂには、支持板１０に固定支持された軸９が貫通しており、一方向クラッチ８を介して軸９に支持されている。
【００１７】
しかして、一方向クラッチ８により、回転体７ａ、７ｂは、カードの排出方向の回転のみを許容され、カードの回収方向の回転を不能とされている。すなわち、回転体７ａは、図１における時計回りに回転可能となっているが、反時計回りの回転は不可である。また、回転体７ｂは、図１における反時計回りに回転可能となっているが、時計回りの回転は不可である。
【００１８】
図１に戻り、２つの回転体７ａ、７ｂの配置関係について説明すると、回転体７ａは搬送中のカードの上方に、また、回転体７ｂは搬送中のカードの下方に、それぞれ搬送路の上下に配置され、更に、相互に搬送方向に離隔して配置されている。
【００１９】
次に、これらの回転体７ａ、７ｂの周面には、それぞれ、複数の弾性板６が取り付けられている。図４は、回転体７ａ、７ｂ近傍の構成を示す斜視図である。弾性板６としては、例えば、ゴム板等を挙げることができ、本実施形態では長方形の弾性板６を、図４に示すように回転体７ａ、７ｂに放射状に複数取り付けている。なお、回転体７ａ、７ｂと弾性板６とは一体成形されたものであってもよく、この場合も本発明に含まれる。
【００２０】
ここで、図１に示すように、各回転体７ａ、７ｂに取り付けられた弾性板６のうち、いずれか一つ（６ａ、６ｂ）は、案内板５ｂ、５ａに屈曲して圧接するように構成されている。このため、弾性板６は、搬送路中を回収方向に移動するカードの表面（弾性板６ａにあってはカードの上面、弾性板６ｂにあってはカードの下面）に圧接して、カードの表面に付着した水滴や塵等の付着物をかきとるようにして除去することができる。
【００２１】
最後に、スタッカ４は、複数枚のカードを一時ストックするための装置であり、装置内に挿入されたカードを上述したローラ対から受け取り収容すると共に、必要に応じて上述したローラ対へ収容したカードを渡して、装置外へ排出可能とする。
【００２２】
次に、係る構成からなる付着物除去装置Ａによる、付着物の除去動作について説明する。図５は、カードが回収方向に搬送される場合の除去動作説明図、図６はカードが排出方向に搬送される場合の動作説明図である。図５を参照して、入出口から挿入されたカードは、まず、回転体７ａの弾性板６ａと案内板５ｂとの間を回収方向に通過せんとする。このとき、回転体７ａは回転しないので、弾性板６ａは固定された状態となり、弾性板６ａがカード上面の水滴等をかきとり、除去する（図５（ａ））。
【００２３】
カードが更に回収方向に進行すると、回転体７ｂの弾性板６に干渉して上方へ移動し、カードの先端は回転体７ｂの弾性板６ｂと案内板５ａとの間を通過せんとする（図５（ｂ））。このとき、回転体７ｂも回転しないので、弾性板６ｂは固定された状態となり、弾性板６ｂがカード下面の水滴等をかきとり、除去する（図５（ｃ））。弾性板６ａに除去された付着物は案内板５ｂの小穴５ｄから搬送路外へ排出され（図５（ｃ））、弾性板６ｂに除去された付着物はそのまま搬送路外へ排出される（図５（ｄ））。
【００２４】
このようにして、本実施形態ではカードが回収方向に移動する際には、回転体７ａ、７ｂが一方向クラッチ８によって回転しないので、弾性板６が固定状態となり、カードの付着物が除去されることとなる。本実施形態では、弾性板６を取り付けた回転体７ａ、７ｂをカードの上下に配設しているので、カードの上面及び下面の双方の付着物を除去することができる。また、弾性板６を取り付けた回転体７ａ、７ｂをカードの搬送方向に離隔して配設しているので、カードがこれらの間を抜うように移動し、カードの円滑な搬送を実現できる。尤も、いずれか一方の面に対する付着物を除去すれば足りる場合には、この回転体７ａ、７ｂもいずれか一つ設ければよいことになる。
【００２５】
一方、図６を参照して、スタッカ４からカードを装置外へ排出する場合には、図６（ａ）乃至図６（ｅ）に示すように、各回転体７ａ、７ｂが一方向クラッチ８により回転するので、弾性板６がカードの移動に抵抗せず、カードが円滑に排出されることとなる。また、各回転体７ａ、７ｂの回転により、次に挿入されるカードに圧接する弾性板６が、それぞれ順次循環的に変更されるので、複数ある弾性板６のいずれかが常にカードの付着物を除去することとならず、弾性板６の劣化を防止することもできる。
【００２６】
【発明の効果】
以上説明したように、本発明によれば、付着物を除去する対象物から、良好に付着物を除去すると共に、その対象物の双方向の搬送を行うことができる。
【図面の簡単な説明】
【図１】本発明の一実施形態に係る付着物除去装置Ａの構成図である。
【図２】案内板５ｂの一部平面図である。
【図３】回転体７ａ、７ｂの支持構造を示す断面図である。
【図４】回転体７ａ、７ｂ近傍の構成を示す斜視図である。
【図５】カードが回収方向に搬送される場合の除去動作説明図である。
【図６】カードが排出方向に搬送される場合の動作説明図である。
【図７】弾性板を用いた付着物除去装置の例を示す図である。
【符号の説明】
１　駆動ローラ
２　従動ローラ
６　弾性板
７ａ、７ｂ　回転体
８　一方向クラッチ
【図１】
2004142848.tif 000003
【図２】
2004142848.tif 000004
【図３】
2004142848.tif 000005
【図４】
2004142848.tif 000006
【図５】
2004142848.tif 000007
【図６】
2004142848.tif 000008
【図７】
2004142848.tif 000009